(57)【特許請求の範囲】
【請求項１】
表示部と、
前記表示部を制御する表示制御部と、
被検出物が近接したことを検出するための近接検出部と、
通話の開始を検出する通話検出部と、
キーワードとなる情報を取得する取得部と、
前記取得部により取得された前記キーワードとなる情報に関連する情報を検索する検索部と、を備え、
前記表示制御部は、前記通話が開始されると、前記被検出物が前記近接検出部に近接した状態において、前記表示部を消灯し、
前記検索部は、前記通話の開始後、前記被検出物が前記近接検出部から離れると、前記関連する情報の検索を行い、
さらに、前記表示制御部は、前記被検出物が前記近接検出部から離れた状態において、前記表示部に前記検索部により検索された前記関連する情報を表示させる、
ことを特徴とする携帯端末装置。
【請求項２】
請求項１に記載の携帯端末装置において、
前記取得部は、通話相手を識別するための識別情報を取得し、
前記検索部は、前記識別情報に関連する情報を検索する、
ことを特徴とする携帯端末装置。
【請求項３】
請求項１または２に記載の携帯端末装置において、
前記取得部は、通話中の音声情報を取得し、
前記検索部は、前記音声情報に関連する情報を検索する、
ことを特徴とする携帯端末装置。
【請求項４】
請求項１ないし３の何れか一項に記載の携帯端末装置において、
マイクロホンと、
前記マイクロホンへ発せられた音声を通話相手に送る通常モードと、前記音声を通話相手に送らないミュートモードとの切替えを行う切替部とをさらに備え、
前記切替部は、前記通常モードが実行されているときに、近接していた前記被検出物が前記近接検出部から離れると、前記ミュートモードへ切り替える、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯電話機には、液晶パネルなどからなる表示部が備えられている。表示部には、携帯電話機を操作するための画像や、操作により実行される各種アプリケーションの画像などが表示される。
【０００３】
通話の際には、携帯電話機がユーザの耳に当てられるため、表示部の画像がユーザに見られることはない。
【０００４】
そこで、かかる携帯電話機において、通話中、ユーザの耳が携帯電話機に近接したことを検出すると、表示部の照明を消灯し、ユーザの耳が携帯電話機から離れたことを検出すると、表示部の照明を点灯するような構成が採られ得る（たとえば、特許文献１参照）。
【先行技術文献】
【特許文献】
【０００５】
【特許文献１】特開２００６−２１１６５５号公報
【発明の概要】
【発明が解決しようとする課題】
【０００６】
しかしながら、上記構成のように、ユーザの耳の近接および離間に応じて表示部の照明を制御するのみでは、携帯電話機の消費電力を低減できるものの、ユーザの使い勝手を向上させることはできない。たとえば、通話の内容により自分の電話番号や通話相手のメールなどの情報が必要となった場合、ユーザは携帯電話機を耳から離して操作し、自己の電話番号などの情報を得なければならない。また、ミュートやハンズフリーなど、通話中に利用する機能をユーザが実行しようとした場合には、その操作画面を探さなければならず、手間がかかる。
【０００７】
本発明は、かかる課題に鑑みてなされたものであり、通話の際に表示部を適正に制御することにより利便性に優れた携帯端末装置を提供することを目的とする。
【課題を解決するための手段】
【０００８】
本発明の携帯端末装置は、表示部と、前記表示部を制御する表示制御部と、
被検出物が近接したことを検出するための近接検出部と、通話の開始を検出する通話検出部と、キーワードとなる情報を取得する取得部と、前記取得部により取得された前記キーワードとなる情報に関連する情報を検索する検索部とを備える。ここで、前記表示制御部は、前記通話が開始されると、前記被検出物が前記近接検出部に近接した状態において、前記表示部を消灯し、前記検索部は、前記通話の開始後、前記被検出物が前記近接検出部から離れると、前記関連する情報の検索を行い、さらに、前記表示制御部は、前記被検出物が前記近接検出部から離れた状態において、前記表示部に前記検索部により検索された前記関連する情報を表示させる。
【０００９】
本発明の携帯端末装置によれば、通話中にユーザの耳などが近接検出部に近づき、表示部を利用する可能性が低い状態では、表示部の照明を消灯することにより、電力の消費を抑えることができる。一方、ユーザの耳などが近接検出部から離れ、表示部を利用する可能性が高い状態では、表示部の照明を点灯することにより、表示部に情報が表示され、ユーザが表示部を利用し易くなる。
【００１０】
また、本発明の携帯端末装置によれば、通話中にユーザが耳などを近接検出部から離したときに、キーワードとなる情報に関連する情報が自動的に表示部に表示されるので、ユーザは、関連する情報を探す操作を行う手間が省かれ、必要な情報を効率的に取得できる。
【００１５】
本態様に係る携帯端末装置において、前記取得部は、通話相手を識別するための識別情報を取得するような構成とされ得る。この場合、前記検索部は、前記識別情報に関連する情報を検索する。
【００１６】
このような構成とすれば、通話中にユーザの耳などが近接検出部から離れると、通話相手に関連する情報が表示部に自動的に表示される。このような通話相手に関連した情報はユーザが要望する情報の可能性がより高いため、さらに効率的な情報の取捨選択が可能となる。
【００１７】
本態様に係る携帯端末装置において、前記取得部は、通話中の音声情報を取得するよう構成され得る。この場合、前記検索部は、前記音声情報に関連する情報を検索する。
【００１８】
このような構成とすれば、通話中の音声情報が抽出され、これに関連する情報が自動的に検索されて、通話中にユーザが近接検出部から離れた際に、関連情報が表示される。このため、検索のためのキーワードを入力する必要がなく、利便性に優れる。しかも、通話中の音声情報に関連する情報は、ユーザが要望する情報である可能性が高いことから、ユーザはさらに効率的に必要な情報を取得できる。
【００１９】
本態様に係る携帯端末装置において、マイクロホンと、前記マイクロホンへ発せられた音声を通話相手に送る通常モードと、前記音声を通話相手に送らないミュートモードとの切替えを行う切替部とをさらに備え得る。この場合、前記切替部は、前記通常モードが実行されているときに、近接していた前記被検出物が前記近接検出部から離れると、前記ミュートモードへ切り替える。
【００２０】
このような構成とすれば、通話中にユーザの耳などが近接検出部から離れ、通話がされない状態では、ミュートモードに切り替えられるので、不要な音声などが通話相手に届かず、通話相手に対して配慮することができる。
【発明の効果】
【００２１】
本発明によれば、通話の際に表示部を適正に制御することにより利便性に優れた携帯端末装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係る携帯電話機の外観構成を示す図である。
【図２】実施の形態に係る携帯電話機の全体構成を示すブロック図である。
【図３】実施の形態に係る画像表示処理の処理手順を示すフローチャートである。
【図４】実施の形態に係る表示面に情報や機能が表示されている携帯電話機である。
【図５】実施の形態に係る携帯電話機の全体構成を示すブロック図である。チャートである。
【図６】実施の形態に係る画像表示処理の処理手順を示すフローチャートである。
【図７】実施の形態に係る表示面に情報や機能が表示されている携帯電話機である。
【図８】実施の形態に係る画像表示処理の処理手順を示すフローチャートである。
【図９】実施の形態に係る表示面に情報や機能が表示されている携帯電話機である。
【図１０】実施の形態に係る画像表示処理の処理手順を示すフローチャートである。
【図１１】実施の形態に係る携帯電話機の全体構成を示すブロック図である。チャートである。
【図１２】実施の形態に係る画像表示処理の処理手順を示すフローチャートである。
【発明を実施するための形態】
【００２４】
以下、本発明の実施の形態について、図面を参照して説明する。図１は携帯電話機の外観構成を示す図である。同図（ａ）は、第２キャビネットが開放した状態の携帯電話機の正面図であり、同図（ｂ）は同じ状態での側面図である。同図（ｃ）は同図（ｂ）のＡ−Ａ´断面図である。
【００２５】
携帯電話機は、第１キャビネット１と第２キャビネット２を備えている。第２キャビネット２は、スライド機構部４によって、第１キャビネット１に対し図１のＸ軸方向にスライド可能に連結されている。
【００２６】
第１キャビネット１には、キー入力部３が配されている。キー入力部３は、携帯電話機への各種の操作入力を検出する。
【００２７】
第１キャビネット１の上面には、キー入力部３を構成する操作キー群３ａが配されている。操作キー群３ａは、４個の起動キー３１と、方向キー３２と、決定キー３３と、通話キー３４と、終話キー３５と、１２個のテンキー３６と、クリアキー３７とを備えている。
【００２８】
起動キー３１は、主に、電子メール機能、電話帳機能、ウェブ機能などの特定のアプリケーションを起動する際に操作される。方向キー３２は、主に、ディスプレイ２１に表示された各種メニューから所望のメニューを選択する際に操作される。決定キー３３は、主に、選択されたメニューに決定する際やディスプレイ２１に表示された内容に同意（ＯＫ）する際に操作される。通話キー３４は、主に、通話を開始する際に操作され、終話キー３５は、主に、通話を終了する際に操作される。テンキー３６は、主に、文字（ひらがな、カタカナ、アルファベット）や数字、記号の入力を行う際に操作される。クリアキー３
７は、主に、入力した文字等を消去する際に操作される。なお、テンキー３６の一部の機能を、ＱＷＥＲＴＹキー等で実現するような構成としてもよい。
【００２９】
第１キャビネット１には、カメラモジュール１１が配されている。カメラモジュール１１のレンズ窓（図示せず）は、第１キャビネット１の背面に設けられ、このレンズ窓から被写体の像がカメラモジュール１１に取り込まれる。
【００３０】
第２キャビネット２にはディスプレイ２１が配されている。ディスプレイ２１は、画像を表示する表示部であって、後述のように液晶パネル２１ａと液晶パネル２１ａを照明するパネルバックライト２１ｂにより構成されている。液晶パネル２１ａの表示面が外部に現れる。なお、ディスプレイ２１は、有機ＥＬ等他の表示素子により構成されてもよい。
【００３１】
ディスプレイ２１の表示面側には、タッチセンサ２２が配されている。タッチセンサ２２は透明なシート状を有しており、タッチセンサ２２を透してディスプレイ２１の表示面を見ることができる。
【００３２】
タッチセンサ２２は、マトリクス状に配された第１透明電極と第２透明電極とを備えている。タッチセンサ２２は、これら透明電極間の静電容量の変化を検出することによって、ユーザに触られた表示面上の位置を検出し、その位置に応じた位置信号を後述のＣＰＵへ出力する。なお、タッチセンサ２２は、静電容量式のタッチセンサ２２に限られず、超音波式、感圧式等のタッチセンサ２２であってもよい。
【００３３】
第１キャビネット１側にはマイクロホン１２（以下、「マイク」と略す）が配されており、第２キャビネット２側には通話スピーカ２３が配されている。ユーザは、通話スピーカ２３からの音声を耳で捉え、マイク１２に対して音声を発することにより通話を行うことができる。
【００３４】
通話スピーカ２３の隣には、近接センサ２４が配されている。近接センサ２４は、ユーザの耳などの被検出物が近接したことおよび近傍に被検出物が存在していることを検出するための近接検出部であって、たとえば、静電容量式の近接センサ２４である。近接センサ２４は、被検出物が近接または近傍に存在することにより静電容量が増加し、静電容量が閾値を超えると、検出信号をＣＰＵへ出力する。一方、近接センサ２４は、被検出部が離れ近傍に存在しなくなると、検出信号をＣＰＵへ出力しなくなる。なお、近接センサ２４は、静電容量式の近接センサ２４に限られず、たとえば、超音波式や誘導形の近接センサ２４であっても良い。
【００３５】
スライド機構部４は、図１（ｃ）に示すように、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００３６】
携帯電話機を閉じた状態では、図１（ｂ）に一点鎖線で示すように、第２キャビネット２が第１キャビネット１の上に略完全に重なっている。この閉じた状態では、第２キャビネット２の背後に操作キー群３ａの全てのキーが隠れた状態となる。第２キャビネット２は、ガイド板４１がガイド溝４２の終端位置に達するまでスライドする。この開いた状態では、図１（ａ）に示すように、第２キャビネット２が第１キャビネット１の上から外側へ移動し、操作キー群３ａの全てのキーが外部に露出する。
【００３７】
全てのキーが隠れた状態において、携帯電話機への入力は、タッチセンサ２２により行
われる。このとき、ディスプレイ２１の表示面には、所定の位置にソフトキーの画像が表示される。
【００３８】
なお、第２キャビネット２が完全に閉じても外部から操作可能な位置、たとえば、第１キャビネット１の側面に、操作キー群３ａとは別の操作キーを設けることもできる。こうすれば、第２キャビネット２が完全に閉じていても、このような操作キーを用いて所望の操作を行うことが可能となる。
【００３９】
図２は、携帯電話機の全体構成を示すブロック図である。
【００４０】
本実施の形態の携帯電話機は、上述した各構成要素の他、ＣＰＵ１００、メモリ２００、映像エンコーダ３０１、音声エンコーダ３０２、キー入力回路３０３、クロック３０４、通信モジュール３０５、バックライト駆動回路３０６、キーバックライト３０７、映像デコーダ３０８、音声デコーダ３０９、外部スピーカ３１０を備えている。
【００４１】
カメラモジュール１１はＣＣＤ等の撮像素子を有する。カメラモジュール１１は、撮像素子から出力された撮像信号をデジタル化し、その撮像信号にガンマ補正等の各種補正を施して映像エンコーダ３０１へ出力する。映像エンコーダ３０１は、カメラモジュール１１からの撮像信号にエンコード処理を施してＣＰＵ１００へ出力する。
【００４２】
マイク１２は、集音した音声を音声信号に変換して音声エンコーダ３０２へ出力する。音声エンコーダ３０２は、マイク１２からのアナログの音声信号をデジタルの音声信号に変換するとともに、デジタルの音声信号にエンコード処理を施してＣＰＵ１００へ出力する。
【００４３】
キー入力回路３０３は、操作キー群３ａの各キーが操作されたときに、各キーに応じたキー入力信号をＣＰＵ１００へ出力する。
【００４４】
クロック３０４は、時刻を計測して時刻信号をＣＰＵ１００へ出力する。
【００４５】
通信モジュール３０５は、ＣＰＵ１００からの音声信号や画像信号、テキスト信号などを無線信号に変換し、アンテナ３０５ａを介して基地局へ送信する。また、アンテナ３０５ａを介して受信した無線信号を音声信号や画像信号、テキスト信号などに変換してＣＰＵ１００へ出力する。
【００４６】
バックライト駆動回路３０６は、ＣＰＵ１００からの制御信号に応じた電圧信号をキーバックライト３０７およびパネルバックライト２１ｂに供給する。キーバックライト３０７は、バックライト駆動回路３０６からの電圧信号により点灯し、操作キー群３ａの個々のキーを照明する。パネルバックライト２１ｂは、バックライト駆動回路３０６からの電圧信号により点灯し、液晶パネル２１ａを照明する。
【００４７】
映像デコーダ３０８は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面上に表示する。
【００４８】
音声デコーダ３０９は、ＣＰＵ１００からの音声信号にデコード処理を施し、さらにアナログの音声信号に変換して通話スピーカ２３に出力する。また、音声デコーダ３０９は、ＣＰＵ１００からの着信音やアラーム音等の各種報知音の音信号、および音声信号にデコード処理を施し、さらにアナログの音信号に変換して外部スピーカ３１０へ出力する。通話スピーカ２３は、音声デコーダ３０９からの音声信号を音声として再生する。外部ス
ピーカ３１０は、音声デコーダ３０９からの着信音等を再生したり、音声信号を音声として再生したりする。
【００４９】
メモリ２００は、ＲＯＭおよびＲＡＭを含む記憶部である。メモリ２００には、ＣＰＵ１００に制御機能を付与するための制御プログラムが記憶されている。また、メモリ２００には、カメラモジュール１１で撮影した画像情報や通信モジュール３０５を介して外部から取り込んだ画像情報、テキスト情報（メール情報）などが所定のファイル形式で保存される。
【００５０】
メモリ２００には、アドレス帳や自己の情報などが保存されている。アドレス帳では、連絡先の氏名や名称、電話番号およびメールアドレスなどが対応付けられている。自己の情報として、自己の氏名や名称、電話番号およびメールアドレスなどが対応付けられている。また、メモリ２００には、通話およびメール通信の履歴情報が保存されている。これらの履歴情報では、通信相手の電話番号および通信日時などが対応付けられている。
【００５１】
メモリ２００には、通話時間と単位時間当たりの料金とが関係付けられた通話換算情報が保存されている。
【００５２】
ＣＰＵ１００は、キー入力回路３０３およびタッチセンサ２２からの操作入力信号に基づき、制御プログラムに従って、カメラモジュール１１、マイク１２、通信モジュール３０５、液晶パネル２１ａ、通話スピーカ２３、外部スピーカ３１０等を動作させる。これにより、通話機能、電子メール機能等の各種機能（アプリケーション）が実行される。
【００５３】
ＣＰＵ１００は、通話検出部１０１、判断部１０２および表示制御部１０３を備える。これら各部は、ＣＰＵ１００によって実行されるソフトウェアの機能として実現される。
【００５４】
通話検出部１０１は、通話の呼出信号を受信した通信モジュール３０５から受け、さらに呼出信号を受けた後に通話キー３４の操作に応じたキー入力信号をキー入力回路３０３から受けると、通話が開始されたことを検出する。
【００５５】
判断部１０２は、近接センサ２４からの検出信号を受け、被検出物が近接センサ２４に接近したこと、および近接センサ２４から離れたことを判断する。
【００５６】
表示制御部１０３は、判断部１０２の判断結果に基づき、ディスプレイ２１を制御する。たとえば、表示制御部１０３は、メモリ２００から画像情報を読み出し、画像情報の映像信号を映像デコーダ３０８に出力し、映像信号に応じた画像を液晶パネル２１ａの表示面に表示させる。また、表示制御部１０３は、制御信号をバックライト駆動回路３０６へ出力し、パネルバックライト２１ｂの点灯および消灯を制御する。
【００５７】
＜第１の実施形態の処理手順＞
図３（ａ）は、通話中に、近接センサ２４の近傍に存在していたユーザが近接センサ２４から離れた時に、画像をディスプレイ２１に表示する処理手順を示すフローチャートである。図３（ｂ）は、画像表示処理の処理手順を示すフローチャートである。
【００５８】
通信モジュール３０５は、通話相手からの呼出信号など受信すると、ＣＰＵ１００へ出力する。呼出信号は、通話検出部１０１へ入力される。ＣＰＵ１００は、外部スピーカ３１０に着信音を出力させる。
【００５９】
この着信音に気づき、ユーザが通話キー３４を操作すると、この操作に応じたキー入力信号がキー入力回路３０３から通話検出部１０１へ出力される。通話検出部１０１は、呼
出信号の受信後に通話キー３４の操作があったことにより、通話が開始したと判断し、判断部１０２へ通知する(Ｓ１０１：ＹＥＳ)。このとき、ＣＰＵ１００は、クロック３０４から時刻信号を取得し、通話開始時刻をメモリ２００に保存する。
【００６０】
通話時には、ＣＰＵ１００は、マイク１２から音声エンコーダ３０２を介して入力されたユーザの音声情報を通信モジュール３０５へ出力して、通信モジュール３０５から通話相手へ送信させる。また、ＣＰＵ１００は、通信モジュール３０５から入力された通話相手の音声情報を音声デコーダ３０９へ出力して、通話スピーカ２３から出力させる。これにより、ユーザは通話相手と音声による通信が可能となる。
【００６１】
通話が開始され、ユーザが携帯電話機を耳に近づけると、近接センサ２４は被検出物が近接したことを検出し、検出信号を判断部１０２へ出力する。判断部１０２は、近接センサ２４からの検出信号を受け、近接センサ２４への被検出物の接近を判断し、表示制御部１０３へ通知する(Ｓ１０２：ＹＥＳ)。
【００６２】
表示制御部１０３は、判断部１０２からの通知を受け、バックライト駆動回路３０６へ制御信号を出力し、パネルバックライト２１ｂを消灯する(Ｓ１０３)。これにより、ユーザが通話中に耳を近接センサ２４に近づけたことで、ユーザが通話するため表示面を見たり操作したりすることがないので、表示面の照明が消される。
【００６３】
次に、ユーザが通話相手との通話を一時中断して、表示面を操作する場合に、ユーザが携帯電話機を耳から離すと、耳が近接センサ２４から離れ、近接センサ２４から検出信号が出力されなくなる。これにより、判断部１０２は、近接センサ２４から被検出物が離れたと判断し、表示制御部１０３へ通知する(Ｓ１０４：ＹＥＳ)。
【００６４】
ユーザの耳が近接センサ２４から離れると、ユーザが表示面を操作する可能性が高いので、画像表示処理が実行される(Ｓ１０５)。
【００６５】
画像表示処理では、表示制御部１０３は、判断部１０２からの通知を受け、メモリ２００から自己の情報および所定の画像情報を読み出す。このとき、ＣＰＵ１００は、クロック３０４から時刻信号を受け、通話開始時刻からの通話時間を算出する。さらに、ＣＰＵ１００は、通話換算情報に基づいて、通話時間に応じた通話料金を求める。(Ｓ１０６)
そして、表示制御部１０３は、図４に示すように、通話時間：１０分、通話料金：×××円、および自己の情報(電話番号)：ＭＹ＃××××××××を表示面に表示するとともに、スピーカ切替と記載されたアイコンおよびアドレス帳と記載されたボタンを表示面に表示する。さらに、表示制御部１０３は、パネルバックライト２１ｂを点灯する(Ｓ１０７)。
【００６６】
スピーカ切替と記載されたボタンが押されると、タッチセンサ２２により検出された位置信号がＣＰＵ１００へ出力される。ＣＰＵ１００は、この信号を受けて、音声の出力先を通話スピーカ２３から外部スピーカ３１０へ切り替える。これにより、ハンズフリーによる通話が可能になる。また、アドレス帳と記載されたボタンが押されると、タッチセンサ２２により押された位置が検出されて、これに応じてアドレス帳の表示画面がメモリ２００から読み出され、表示制御部１０３によって表示面に表示される。これにより、ユーザは、たとえば、通話相手のアドレス情報を検索することが可能となる。
【００６７】
以上、本実施の形態によれば、通話中、ユーザが近接センサ２４から耳を離したときに、通話時間やアドレス帳などの通話に関連した情報が表示されたり、ハンズフリーのためのスピーカ切替など通話に関連する機能が表示されたりする。このため、ユーザは、耳を携帯電話機から離すだけで、これらの情報および機能を探す手間無く得ることができ、利
便性に優れる。
【００６８】
また、通話中にユーザの耳が近接センサ２４に接近し、表示面が利用されることがない状態となると、パネルバックライト２１ｂが消える。これにより、照明の消費量が節約され、効率的に電力が使用される。
【００６９】
＜第２実施形態＞
第１実施形態の携帯電話機では、通話中に近接センサ２４から耳を離したときに所定の情報が表示された。これに対し、第２実施形態の携帯電話機では、通話中に近接センサ２４から耳を離したときに検索画面が表示され、その入力情報の検索結果が表示される点が、第１実施形態の携帯電話機と異なる。なお、第２実施形態の構成のうち第１実施形態の構成と同様なものには、同じ番号を付して、その説明を省略する。
【００７０】
図５は、携帯電話機の全体構成を示すブロック図である。
【００７１】
ＣＰＵ１００は、通話検出部１０１、判断部１０２および表示制御部１０３に加えて、取得部１０４および検索部１０５をさらに備える。
【００７２】
表示制御部１０３は、メモリ２００から所定の検索画面の画像情報を読み出し、映像デコーダ３０８を介して検索画面を表示面に表示させる。また、表示制御部１０３は、検索画面での検索結果を表示面に表示させる。
【００７３】
取得部１０４は、キー入力回路３０３から操作キー群３ａの各キーに応じた入力信号を受け、入力情報を取得する。
【００７４】
検索部１０５は、メモリ２００やネットワークに存在する各種の情報などの検索対象となる情報の中から入力情報に関連する情報を検索し、検索結果をメモリ２００に格納して、表示制御部１０３に通知する。ここで、メモリ２００に存在する検索対象には、通話やメール通信の履歴情報、メールの題名や本文や添付ファイルなどのメール情報、写真などの画像情報などがある。ネットワークに存在する検索対象には、ウェブページなどがある。
【００７５】
図６は、入力情報に関連する情報を表示するための画像表示処理の処理手順を示すフローチャートである。図７（ａ）は、検索画面が表示された表示面である。図７（ｂ）は、メールを検索した結果が表示された表示面である。図７（ｃ）は、ネットワークを検索した結果が表示された表示面である。
【００７６】
画像表示処理では、表示制御部１０３は、メモリ２００から所定の検索画面の画像情報を読み出し、図７（ａ）に示す検索画面を表示面に表示して、バックライトを点灯する(Ｓ２０１)。
【００７７】
検索画面には、検索するキーワードを入力するための入力ボックスと、検索対象を選択する４つの選択ボタンとが表示される。選択ボタンには、メモリ２００の通話などの履歴情報を検索対象とする履歴検索、メモリ２００の本文などを検索対象とするメール検索、メモリ２００の写真などの画像情報を検索対象とする写真検索、ならびにネットワークの情報を検索対象とするネット検索の各ボタンが設けられる。
【００７８】
ユーザが操作キー群３ａを操作して、この検索画面の入力ボックスにキーワード、たとえば「車」の文字を入力すると、取得部１０４は、車を入力情報として受け付ける。引き続き、ユーザのキー操作またはタッチセンサ２２の操作により、選択ボタンが選択された
ら、検索部１０５は、選択された検索対象から車に関連する情報を検索する(Ｓ２０２)。
【００７９】
たとえば、「車」の入力情報に対してメール検索が選択されると、検索部１０５は、メモリ２００から車を含むメールの題名などを検索し、検索結果として題名に車を含むメールを特定し、その日付および題名を抽出して、表示制御部１０３へ通知する(Ｓ２０３)。
【００８０】
表示制御部１０３は、検索部１０５からの通知を受け、図９（ｂ）に示すように、検索結果であるメールの日付および題名を表示面に表示し、パネルバックライト２１ｂを点灯する(Ｓ２０４)。
【００８１】
また、車の入力情報に対してネット検索が選択された場合でも、上記と同様に、検索部１０５は、ネットワークに存在する情報から車を含む情報を検索し、検索結果としてウェブページのタイトルを取得して、表示制御部１０３へ通知する(Ｓ２０３)。表示制御部１０３は、図９（ｃ）に示すように、検索結果としてウェブページのタイトルを表示面に表示し照明を点灯する(Ｓ２０４)。
【００８２】
以上、本実施の形態によれば、通話中にユーザが近接センサ２４から耳を離したときに、検索画面が自動的に表示されることにより、検索画面を起動する手間がなく、検索機能を簡単に利用できる。しかも、ユーザが所望する情報の可能性が高い情報が検索結果として表示されるので、ユーザはこの検索結果の中から目的とするデータを簡単に見つけ出すことができる。
【００８３】
＜第３実施形態＞
第２実施形態の携帯電話機では、通話中に近接センサ２４から耳を離したときに検索画面が表示され、その入力情報の検索結果が表示された。これに対し、第３実施形態の携帯電話機では、通話中に近接センサ２４から耳を離したときに通話相手に関連する情報（関連情報）が表示される点が、第２実施形態の携帯電話機と異なる。なお、第３実施形態の構成のうち第１および第２実施形態の構成と同様なものには、同じ番号を付して、その説明を省略する。
【００８４】
メモリ２００には、保存情報と識別情報とが対応付けられて保存されている。保存情報は、メモリ２００などに保存されている情報である。保存情報としては、たとえば、通話やメールなどの履歴情報、メールの本文などのテキスト情報、メールに添付されたテキスト情報や画像情報など、またはこれらの保存先を示す情報（保存先情報）など通信に関する情報がある。これらの通信に関する保存情報に対する識別情報は、通話やメールなどの通信相手の氏名や名称、電話番号、メールアドレスなどである。また、通信以外の保存情報としては、カメラモジュール１１で撮影した写真の画像情報、メモやスケジュール情報などのテキスト情報メモやスケジュールなど、またはこれらの保存先情報などがある。これらの保存情報の場合、写真に付加されたコメントなどに、氏名や電話番号などが含まれていれば、氏名や電話番号などが識別情報となる。さらに、上記以外で保存情報および識別情報とが対応付けられた情報としては、アドレス帳などがある。
【００８５】
取得部１０４は、通信モジュール３０５から呼出信号に付加された通話相手の電話番号などの識別情報を取得し、メモリ２００に保存する。
【００８６】
検索部１０５は、通話相手の識別情報を入力情報として受け付けて、メモリ２００から入力情報に対応付けられた保存情報を通話相手の関連情報として検索して取得し、表示制御部１０３に通知する。このとき、検索部１０５は、保存情報自体ではなく、各保存情報が特定できる情報（特定情報）を取得することもできる。特定情報としては、履歴情報では通信日時などであり、メール本文では題名や通信日時などであり、写真ではファイル名
などであり、メモでは文章の一部であり、スケジュールでは予定日時などである。
【００８７】
表示制御部１０３は、検索部１０５により検索された保存情報をメモリ２００から読み出し、表示面に表示する。あるいは、表示制御部１０３は、検索部１０５により検索された特定情報をメモリ２００から読み出し、表示面に表示する。
【００８８】
特定情報には、対応する保存情報の保存先情報が関連付けられている。特定情報が表示面に表示された場合、メール通信履歴や写真のファイル名など特定情報の表示部分がユーザの指で押されると、タッチセンサ２２が押された位置を検出する。そして、表示制御部１０３は、押された位置に表示されている特定情報を特定し、この特定情報に対応する保存情報の保存先を求め、メモリ２００の保存先から保存情報を読み出し、保存情報を表示面に表示する。
【００８９】
表示制御部１０３は、映像デコーダ３０８を介して保存情報に応じた画像を表示面に表示させる。
【００９０】
図８は、通話相手の関連情報を表示するための画像表示処理の処理手順を示すフローチャートである。図９（ａ）は、通話相手に関する検索結果が表示された表示面である。図９（ｂ）は、選択された検索結果に対応する保存情報が表示された表示面である。
【００９１】
ユーザが耳を近接センサ２４から離すと、画像表示処理が実行される。画像表示処理では、検索部１０５がメモリ２００から通話相手の電話番号を取得する(Ｓ３０１)。
【００９２】
次に、検索部１０５は、メモリ２００を参照しながら、通話相手の電話番号に一致する電話番号を検索し、その電話番号に対応する通話履歴情報やメール履歴情報などの保存情報を取得する。また、検索部１０５は、通話相手の電話番号に対応する氏名やメールアドレスをアドレス帳から取得する。そして、検索部１０５は、通話相手の氏名やメールアドレスを含む保存情報、たとえば、メール履歴情報や写真などの保存情報を検索し取得する。保存情報を取得する際、検索部１０５は、通信日時やメールの題名、写真のファイル名など保存情報の特定情報および保存情報の保存先情報を抽出し、特定情報と保存先情報のとを関連付けてメモリ２００に保存し、表示制御部１０３に通知する(Ｓ３０２)。
【００９３】
表示制御部１０３は、検索部１０５からの通知を受け、保存情報の特定情報をメモリ２００から読み出す。そして、表示制御部１０３は、図９（ａ）に示すように、保存情報の特定情報として、通話履歴を示す日時、メール通信履歴を示す日時および題名、ならびに写真のファイル名を表示面に表示するとともに、パネルバックライト２１ｂを点灯する(Ｓ３０３)。
【００９４】
たとえば、メール通信履歴の欄の「７／１  予定」と表示された項目がユーザの指で押されると、タッチセンサ２２が押された位置を検出する。そして、表示制御部１０３は、押された位置に表示される特定情報を特定し、この特定情報に対応するメール本文の保存先を求める。表示制御部１０３は、このメモリ２００の保存先に保存されたメール本文を読み出し、図７（ｂ）に示すように、メール本文を表示面に表示する。
【００９５】
以上、本実施の形態によれば、通話中にユーザが近接センサ２４から耳を離したときに、通話相手に関連する情報がメモリ２００から自動的に読み出され表示されることにより、これらの情報を探す手間が省かれる。しかも、アドレス帳などが利用されることにより、通話相手の電話番号だけでなく、通話相手の氏名やメールアドレスなどに関連する情報も検索されて表示される。このため、それぞれを検索する手間がなく、一括で自動的に通話相手の情報が得られる。
【００９６】
＜第４実施形態＞
第３実施形態の携帯電話機では、通話中に近接センサ２４から耳を離したときに通話相手の情報が表示された。これに対し、第４実施形態の携帯電話機では、通話中に近接センサ２４から耳を離したときに通話中の語句に関連する情報が表示される点が、第３実施形態の携帯電話機と異なる。なお、第１実施形態の構成のうち第１〜第３実施形態の構成と同様なものには、同じ番号を付して、その説明を省略する。
【００９７】
取得部１０４は、通話中、通話相手からの音声情報を通信モジュール３０５から取得し、また、ユーザが発した音声情報を音声エンコーダ３０２から取得する。そして、取得部１０４は、メモリ２００に保存されている音声認識プログラムなどにより、取得した音声情報を文字情報に変換して、文字情報をメモリ２００に一時的に保存する。文字情報は、ある一定量が保存され、一定量を超えると古いものから削除される。文字情報の保存は、通話の終了または画像表示処理の実行などまで続けられる。なお、取得する音声情報は、通話相手の音声情報だけでもよいし、ユーザの音声情報だけでもよい。
【００９８】
検索部１０５は、通話の文字情報の中から最後の単語などを取り出し、取り出した文字情報に関連する情報をメモリ２００やネットワークの情報の中から検索し、検索結果を関連情報として取得し、表示制御部１０３へ通知する。
【００９９】
図１０（ａ）は、通話中に、ユーザの耳が近接センサ２４から離れた時に、通話内容に関連する情報を表示面に表示する処理手順を示すフローチャートである。図１０（ｂ）は、画像表示処理の処理手順を示すフローチャートである。なお、図１０（ａ）のＳ４０１〜Ｓ４０３は、それぞれ図１（ａ）のＳ１０１〜Ｓ１０３と同様であり、図１０（ｂ）のＳ４０８〜Ｓ４０９は、それぞれ図６のＳ３０２〜Ｓ３０４と同様であるため、これらの説明は省略する。
【０１００】
ユーザが耳を近接センサ２４に近づけて、通話が開始されると、通話検出部１０１は、通話相手の音声情報およびユーザの音声情報を取得しながら、音声情報を文字情報に逐次変換してメモリ２００に一時的に保存していく(Ｓ４０４)。
【０１０１】
そして、ユーザが耳を携帯電話機から離すと、近接センサ２４からの検出信号がなくなる。これに応じて、判断部１０２は、ユーザの耳が携帯電話機から離れたと判定し、検索部１０５へ通知する(Ｓ４０５：ＹＥＳ)。
【０１０２】
そして、画像表示処理が実行される(Ｓ４０６)。画像表示処理では、検索部１０５は、判断部１０２からの通知を受け、通話の文字情報から最後の単語を入力情報として取得する(Ｓ４０７)。これにより、通話の最後の単語についてメモリ２００やネットワークにおいて検索され、検索結果として最後の単語に関連する情報が取得されて表示面に表示される。
【０１０３】
以上、本実施の形態によれば、通話相手およびユーザの通話内容から検索ワードが自動的に抽出されることで、検索ワードを入力する手間が省ける。しかも、通話内容に関連する情報が検索されることにより、検索結果はユーザが必要とする情報の可能性が高いため、この検索結果からユーザが要望する情報を簡単に入手できる。
【０１０４】
＜第５実施形態＞
第５実施形態の携帯電話機は、オートミュート機能が搭載される点が、第２実施形態の携帯電話機と異なる。なお、第５実施形態の構成のうち第１および第２実施形態の構成と同様なものには、同じ番号を付して、その説明を省略する。
【０１０５】
図１１は、携帯電話機の全体構成を示すブロック図である。
【０１０６】
ＣＰＵ１００は、切替部１０６をさらに備える。切替部１０６は、通常モードとミュートモードとを切り替える。
【０１０７】
オートミュート機能では、通話時に、ユーザが携帯電話機を耳から離せば、自動的に通常モードからミュートモードに切り替えられる。ミュートモードになると、マイク１２から入力されたユーザの音声情報は、通信モジュール３０５へ出力されずに、取得部１０４へ出力される。マイク１２から音声情報が通信モジュール３０５へ出力されなくなるので、ユーザの音声が通信相手に送信されなくなる。一方、ユーザが携帯電話機を再び耳に近づければ、自動的にミュートモードが解除されて通常モードとなる。
【０１０８】
ここで、通常モードとは、ミュートモードとは反対に、たとえば、マイク１２からの音声情報が通信モジュール３０５へ出力されることにより、ユーザの音声が通話相手に送信される状態をいう。
【０１０９】
図１２（ａ）は、オートミュート機能における入力情報の関連情報を表示するための画像表示処理の処理手順を示すフローチャートである。図１２（ｂ）は、画像表示処理の処理手順を示すフローチャートである。なお、図１２のＳ５０１〜Ｓ５０４の処理は、図３（ａ）のＳ１０１〜Ｓ１０４の処理と同様であるため、説明を省略する。
【０１１０】
通話中にユーザが携帯電話機から耳を離したか否かの判定において、近接センサ２４からの検出信号が出力されていれば、判断部１０２は耳が近接センサ２４から離れていないと判定する（Ｓ５０４：ＮＯ）。そして、切替部１０６は、通常モードを維持する。これにより、マイク１２から入力されたユーザの音声が、通話相手の携帯電話機に送信される。
【０１１１】
一方、ユーザが携帯電話機を耳から離し、近接センサ２４から検出信号が出力されなくなると、判断部１０２は、耳が近接センサ２４から離れたと判定し、切替部１０６および表示制御部１０３に通知する（Ｓ５０４：ＹＥＳ）。
【０１１２】
そして、切替部１０６は、判断部１０２から通知を受け、マイク１２からの音声情報の出力先を通信モジュール３０５から取得部１０４へ変えて、ミュートモードに切り替える（Ｓ５０５）。これにより、マイク１２から入力された音声が、通話相手の携帯電話機に送信されなくなった状態で、取得部１０４へ入力される。
【０１１３】
また、判断部１０２から通知により、画像表示処理が実行される(Ｓ５０６)。画像表示処理では、表示制御部１０３が、メモリ２００から所定の検索画面情報を読み出し、図７（ａ）に示すように、検索画面を表示面に表示し、パネルバックライト２１ｂを点灯する（Ｓ５０７）。
【０１１４】
ユーザが音声を発すると、音声がマイク１２から音声エンコーダ３０２を介して取得部１０１に入力される。取得部１０４は、マイク１２からの音声情報を文字情報に変換し、表示制御部１０３および検索部１０５に通知する。
【０１１５】
表示制御部１０３は、取得部１０４からの通知を受け、文字情報を検索ワードの入力ボックスに表示する。また、検索部１０５は、取得部１０４から通知を受け、文字情報を入力情報として取得する(Ｓ５０８)。次に、ユーザにより操作キー群３ａまたはタッチセンサ２２が操作され、検索対象のボタンが選択されると、検索部１０５は、選択された検索
対象において文字情報を含む関連情報を検索し、検索結果が得られる（Ｓ５０９）。次いで、表示制御部１０３により、音声入力された情報に関連する情報が表示面に表示される（Ｓ５１０）。
【０１１６】
そして、表示された関連情報をユーザが見て、さらに通話を続ける場合、ユーザが携帯電話機を再び耳に近づける。これにより、ユーザの耳が近接センサ２４に近接すると、近接センサ２４から検出信号が出力される。
【０１１７】
近接センサ２４から検出信号が出力されたことにより、判断部１０２は、耳が近接センサ２４に近接したと判定し、切替部１０６に通知する（Ｓ５１１：ＹＥＳ）。切替部１０６は、判断部１０２からの通知を受け、マイク１２からの音声の出力先を取得部１０４から通信モジュール３０５へ切り替えて、ミュートモードを解除する（Ｓ５１２）。これにより、通常モードに再び戻り、マイク１２から入力された音声が、通話相手の携帯電話機に送信されるようになる。
【０１１８】
以上、本実施の形態によれば、通話中にユーザが耳を携帯電話機から離すと、ユーザの音声が通話相手に届かない状態で、検索ワードを音声入力することができるため、ミュート機能を起動する手間が省ける。また、ミュート機能を起動することを忘れて、検索ワードが通話相手に伝わることが防止できる。
【０１１９】
また、本実施の形態によれば、ユーザが携帯電話機を耳に近づければ、自動的にミュートモードが解除され、通常モードとなる。よって、ミュートモードを解除する手間無く、通話を再開できる。また、ミュートモードが実行されたままで通話できない状態を回避できる。
【０１２０】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１２１】
たとえば、第１実施形態では、所定の情報を表示面の所定の位置に表示したが、表示する情報およびその表示位置をユーザが予め設定できるようにしてもよい。
【０１２２】
さらに、第５実施形態では、オートミュート機能により、通話時にユーザの耳が携帯電話機から離れると、自動的にミュートモードに切り替えられた。これに対して、オートミュート機能のオン・オフがユーザにより設定されるようにしてもよい。この場合、オートミュート機能のオン設定時に、ユーザが携帯電話機から離れれば、ミュートモードに切り替えられる。
【０１２３】
また、第５実施形態では、ユーザの耳が携帯電話機から離れると、直ちに画像表示処理の実行およびミュートモードへの切替が行われる。これに対して、ユーザの耳が携帯電話機から離れてから所定時間が経過すると、画像表示処理の実行およびミュートモードへの切替が行われるようにしてもよい。
【０１２４】
また、第２から第５実施形態では、検索対象が、予め設定されていてもよいし、検索時に選択できるようしてよい。
【０１２５】
さらに、上記実施形態では、通話相手から呼出信号か発せられ、それに応じてユーザが通話キー３４を操作することにより、通話検出部１０１が通話開始を検出する。これに対して、ユーザがテンキー３６を操作して通話相手の電話番号を入力してから通話キー３４
を押すことに応じて、通話検出部１０１が通話開始を検出するようにしてもよい。
【０１２６】
上記実施形態では、ユーザの耳など被検出物が携帯電話機に近接したか離れたかの検出に近接センサ２４を用いたが、近接センサ２４に代えて地磁気センサまたはタッチセンサ２２などを用いることもできる。たとえば、タッチセンサ２２を用いる場合、通話時には、タッチセンサ２２によるキー入力は禁止され、操作キー群３ａのみによりキー入力が行われる。また、タッチセンサ２２よって耳などがすぐに離れたと検出されず、誤ってミュートモードが実行され難くするためには、耳などの近接を検出する検出距離が、キー入力を検出する検出距離より大きくされることが望ましい。
【０１２７】
さらに、近接センサ２４に加えて加速度センサを用いれば、ユーザの耳などが携帯電話機に近接したことを、精度良く検出することもできる。即ち、加速度センサを用いた場合、携帯電話機の移動に応じて、加速度センサからの３軸方向の加速度信号の内の少なくとも１つが大きく変化する。ＣＰＵは、加速度の変化が予め定めた閾値を越えると、携帯電話機が移動したと判定する。携帯電話機が移動した後に近接センサ２４が被検出物の近接を検出すれば、携帯電話機に耳が当てられたと判断でき、携帯電話機が移動せずに、近接センサ２４が被検出物の近接を検出すれば、携帯電話機が耳に当てられたのではなく、指などが誤って近接センサ２４に近接したと判断できる。
また、加速度センサの加速度信号を用いて携帯電話機の姿勢を検出することにより、ユーザの耳などが携帯電話機の近接したことを、精度良く検出することもできる。即ち、携帯電話機の姿勢を検出することにより、携帯端末装置が横にされて机などに置かれた状態で、手などが近接検出部に近づいたのか、あるいは、通話などのために、携帯電話機が立てられた状態で手で持たれ、このときに耳などが近接検出部に近づいたのかを、区別することができる。
【０１２８】
さらに、上記実施の形態では、いわゆるスライド式の携帯電話機に本発明が適用されている。しかしながら、これに限らず、いわゆる折り畳み式、ストレート型等、いかなるタイプの携帯電話機に本発明が適用されてもよい。
【０１２９】
さらに、本発明の携帯端末装置は、携帯電話機に限られず、ＰＤＡ（PersonalDigital Assistant）等であってもよい。
【０１３０】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１３１】
１２  マイクロホン
２１  ディスプレイ
２１ａ  液晶パネル
２１ｂ  パネルバックライト
２４  近接センサ
１０１  検出部
１０３  表示制御部
１０４  検索部
１０５  切替部
【図１】
0005567422.tif 000002
【図２】
0005567422.tif 000003
【図３】
0005567422.tif 000004
【図４】
0005567422.tif 000005
【図５】
0005567422.tif 000006
【図６】
0005567422.tif 000007
【図７】
0005567422.tif 000008
【図８】
0005567422.tif 000009
【図９】
0005567422.tif 000010
【図１０】
0005567422.tif 000011
【図１１】
0005567422.tif 000012
【図１２】
0005567422.tif 000013